(57)【要約】【課題】不法者の侵入等の非常時に、この異常発生の内容を的確かつ詳細に、予め登録された通報先に連絡することにより、通報を受けた者がこの非常事態に対して適切な対応処置を取れるようにする。【解決手段】玄関扉開閉検知器１、窓開閉検知器２、室内扉開閉検知器３等の内の１又は複数の組合せを含む各種監視用検知器と、これら各種監視用検知器から異常発生信号が入力されたならば、予め登録された通報先に公衆電話回線を通して自動発呼を行い、音声メッセージを送信する非常通報装置７とからなる非常通報システムにおいて、前記各種監視用検知器１〜５にそれぞれＩＤ番号を与え、前記非常通報装置７はこれらＩＤ番号毎に音声メッセージの記憶部を備え、各種監視用検知器１〜５から異常発生信号と共にＩＤ番号信号が入力されたならば、このＩＤ番号に対応した音声メッセージを、予め登録された通報先を呼び出して流すようにする。【選択図】  図１
2005012510.tif 000002
【特許請求の範囲】
【請求項１】
ガス検知器、火災検知器、玄関扉開閉検知器、窓開閉検知器、室内扉開閉検知器の内の１又は複数の組合せを含む各種監視用検知器と、これら各種監視用検知器から異常発生信号が入力されたならば、予め登録された通報先に公衆電話回線を通して自動発呼を行い、音声メッセージを送信する非常通報装置とからなる非常通報システムにおいて、
前記各種監視用検知器にそれぞれＩＤ番号を与え、前記非常通報装置はこれらＩＤ番号毎に音声メッセージの記憶部を備え、各種監視用検知器から異常発生信号と共にＩＤ番号信号が入力されたならば、このＩＤ番号に対応した音声メッセージを、予め登録された通報先を呼び出して流すようにしたことを特徴とする非常通報システム。
【請求項２】
無線式の携帯非常通報器を備えるとともに、この携帯非常通報器に少なくとも１以上のＩＤ番号を与え、前記非常通報装置は、前記携帯非常通報器のＩＤ番号に対応した音声メッセージ記憶部を備え、携帯非常通報器から異常発生信号と共にＩＤ番号信号が入力されたならば、このＩＤ番号に対応した音声メッセージを、予め登録された通報先を呼び出して流すようにしてある請求項１記載の非常通報システム。
【請求項３】
前記屋内放送用拡声器および屋外放送用拡声器を備え、前記各ＩＤ番号に対応した音声メッセージを前記放送用拡声器から放送可能としてある請求項１，２いずれかに記載の非常通報システム。
【請求項４】
前記非常通報装置は、事前の設定により、屋内放送拡声器のみによる通報モードと、屋外放送拡声器のみによる通報モードと、公衆電話回線通報先のみへの通報モードと、これら３つの通報モードを同時に行う通報モードとを有する請求項３記載の非常通報システム。
【請求項５】
前記予め設定された通報先への通報は、通報先の内どれか１件に通報されるまで呼び続けるモードか、通報先のすべてに通報されるまで呼び続けるモードかを選定可能としてある請求項１〜４いずれかに記載の非常通報システム。
【請求項６】
前記携帯非常通報器は徘徊者監視機能として、電波到達範囲外となったならば、予め登録された通報先を呼び出して、徘徊者が監視範囲外になった旨の音声メッセージを流すようにしてある請求項２〜５いずれかに記載の非常通報システム。
【発明の詳細な説明】
【０００１】
【発明の属する技術分野】
本発明は、不法者の侵入、火災・ガス漏れ発生、急病人発生等の非常時に、これらの情報を的確かつ詳細に通報するための非常通報システムに関する。
【０００２】
【従来の技術】
従来より、一般住居やビル等での防犯、火災・ガス漏れ等に対するセキュリティシステムや非常通報装置として、数多くのものが提案されている。
【０００３】
例えば下記特許文献１では、火災監視装置、防犯監視装置、機械故障監視装置等の各種監視装置と、これら監視装置に基づいた信号を出力する送信信号インターフェイスと、この送信信号インターフェイスからの信号を電話機により管理場所へ電話をかけ電話回線を通じて前記情報を送信する送信モデムとを独立した館内に備える一方、前記情報を受信する受信モデムと、この受信モデムにより受信された情報に基づいて表示盤に異常の場所および内容を表示するとともに、警報機により警報を発する受信信号インターフェイスとを管理場所に備える情報通信システムが開示されている。
【０００４】
また、下記特許文献２では、侵入者を自動検知して警報信号を発する侵入者検知手段と、前記警報装置の発生時に予め設定した通報先に対して公衆通信回線を通して自動発呼する送信手段とを備える防犯警報システムが開示されている。
【０００５】
下記特許文献３では、火災センサ、防犯センサなどのセキュリティセンサからの異常信号を受信したとき、予め設定された通報先を自動発呼して、音声メッセージを伝送するアラームユニットにおいて、通報先に伝送される音声メッセージがアラームユニットのスピーカより出力される構成とした通報メッセージのモニター機能を備えたアラームユニットが開示されている。
【０００６】
さらに、下記特許文献４では、公衆電話回線に接続する電話機において、携帯端末発信機、火災報知器及び防犯用ドアセンサから発信された緊急警報を、無線信号受信機能付き自動通話端末機が感知し、電話機を通じて緊急警報受発信代行センターに配置したコンピューターが警報を受信し、受信した警報が誤報か否かの確認を人間が肉声を以て発信元へ確認代行する。また、確認された誤報ではない警報の内容を予め指定登録されている複数の連絡先に人間の肉声により、繋がるまで公衆電話回線を通じて連絡代行する緊急警報の受発信代行システムが開示されている。
【０００７】
【特許文献１】
特開平５−６８１１０号公報
【特許文献２】
特開平１−２６６６９８号公報
【特許文献３】
特開平６−２２３２８７号公報
【特許文献４】
特開２００２−２１６２７７号公報
【０００８】
【発明が解決しようとする課題】
しかしながら、前記特許文献１の場合は、火災監視装置、防犯監視装置、機械故障監視装置等の各種監視装置が異常を検出したならば、この情報を電話回線を通じて管理場所に設置された表示盤に異常の場所および内容を表示するものであり、管理場所の管理者は迅速に非常事態を知ることができるけれども、例えば外出している住人本人や家族等はこの非常事態の発生や、その詳細な内容について知ることはできない。また、上記異常の内容とは、異常事態が火災なのか、不法者侵入なのか、機械故障なのかを指し、非常事態の細かな内容までは把握することができない問題がある。
【０００９】
前記特許文献２、４の場合には、通報先を予め設定できるため、例えば管理センターの他、住居者本人やその家族等の予め設定された者に対して迅速に非常事態の連絡が入る。しかし、仮に不法者が住居に侵入したことは知ることが可能であるけれども、それ以上の詳細な状況についての情報を入手することはできないため、適切な対応処置を取ることができない場合がある。
【００１０】
前記特許文献３の場合は、予め設定された通報先を自動発呼して、通報先に音声メッセージを流すようにするが、この場合も同様に、音声メッセージは不法者が住居に侵入したことや火災発生があったことのみで、それ以上の詳細な状況についての情報を入手することはできないため、適切な対応処置を取ることができない場合がある。
【００１１】
そこで本発明の主たる課題は、不法者の侵入、火災・ガス漏れ発生、急病人発生等の非常時に、この異常発生の内容を的確かつ詳細に、予め登録された通報先に連絡することにより、通報を受けた者がこの非常事態に対して適切な対応処置を取れるようにした非常通報システムを提供することにある。
【００１２】
【課題を解決するための手段】
前記課題を解決するために請求項１に係る本発明として、ガス検知器、火災検知器、玄関扉開閉検知器、窓開閉検知器、室内扉開閉検知器の内の１又は複数の組合せを含む各種監視用検知器と、これら各種監視用検知器から異常発生信号が入力されたならば、予め登録された通報先に公衆電話回線を通して自動発呼を行い、音声メッセージを送信する非常通報装置とからなる非常通報システムにおいて、
前記各種監視用検知器にそれぞれＩＤ番号を与え、前記非常通報装置はこれらＩＤ番号毎に音声メッセージの記憶部を備え、各種監視用検知器から異常発生信号と共にＩＤ番号信号が入力されたならば、このＩＤ番号に対応した音声メッセージを、予め登録された通報先を呼び出して流すようにしたことを特徴とする非常通報システムが提供される。
【００１３】
上記請求項１記載の本発明においては、各種監視用検知器にそれぞれＩＤ番号を与える一方、前記非常通報装置に対して、各種監視用検知器のＩＤ番号に対応した音声メッセージを記憶し、異常発生時に各ＩＤ番号に対応した音声メッセージを通報先に流すようにした。従って、例えば１階リビングの北側窓から不法侵入者があった場合、この窓に対応して記憶されている「警戒中、１階リビングの北側窓が開かれました。」の音声メッセージが流れるため、通報を受けた者が侵入者がどこから侵入したかまでを知ることができ、さらにその後にも「警戒中、１階リビングから洗面所でのドアがひらかれました。」、「警戒中、玄関の扉が開かれました。」等の音声メッセージが順次、通報先に連絡され、不法侵入者の行動が詳細に把握できるため、通報を受けた者が適切な対応処置を取ることができるようになる。
【００１４】
請求項２に係る本発明として、無線式の携帯非常通報器を備えるとともに、この携帯非常通報器に少なくとも１以上のＩＤ番号を与え、前記非常通報装置は、前記携帯非常通報器のＩＤ番号に対応した音声メッセージ記憶部を備え、携帯非常通報器から異常発生信号と共にＩＤ番号信号が入力されたならば、このＩＤ番号に対応した音声メッセージを、予め登録された通報先を呼び出して流すようにしてある請求項１記載の非常通報システムが提供される。
【００１５】
請求項２に係る上記発明においては、監視用機器として無線式の携帯非常通報器を追加するようにした。この携帯非常通報器は、基本的に住居内で持ち運び自由とされ、使用方法は泥棒が入ったため住居人が他に助けを求める場合や、急病人が出たため近隣に助けを求める場合、火災があった場合の消防署への連絡、徘徊者の監視等、各種の用途に供されるものである。
【００１６】
請求項３に係る本発明として、前記屋内放送用拡声器および屋外放送用拡声器を備え、前記各ＩＤ番号に対応した音声メッセージを前記放送用拡声器から放送可能としてある請求項１，２いずれかに記載の非常通報システムが提供される。
【００１７】
請求項３に係る上記発明においては、電話回線による通報の他、屋内放送機能、屋外放送機能とを設けるようにした。例えば、屋内放送機能に関しては、１階に不法侵入者があった場合には、２階に居る住人が迅速に異常事態を認識し、扉に鍵を掛ける等の対応処置を取ったりするためであり、屋外放送機能は近隣に非常事態の状況を知らせ、助けを求めたり、警察、消防署等への連絡を乞う場合等に使用されるものである。
【００１８】
請求項４に係る本発明として、前記非常通報装置は、事前の設定により、屋内放送拡声器のみによる通報モードと、屋外放送拡声器のみによる通報モードと、公衆電話回線通報先のみへの通報モードと、これら３つの通報モードを同時に行う通報モードとを有する請求項３記載の非常通報システムが提供される。
【００１９】
請求項５に係る本発明として、前記予め設定された通報先への通報は、通報先の内どれか１件に通報されるまで呼び続けるモードか、通報先のすべてに通報されるまで呼び続けるモードかを選定可能としてある請求項１〜４いずれかに記載の非常通報システムが提供される。
【００２０】
請求項６に係る本発明として、前記携帯非常通報器は徘徊者監視機能として、電波到達範囲外となったならば、予め登録された通報先を呼び出して、徘徊者が監視範囲外になった旨の音声メッセージを流すようにしてある請求項２〜５いずれかに記載の非常通報システムが提供される。
【００２１】
【発明の実施の形態】
以下、本発明の実施の形態について図面を参照しながら詳述する。
図１は本発明に係る非常通報システムの装置構成図、図２はその制御ブロック図である。
【００２２】
図１に示されるように、本非常通報システムは、玄関扉開閉検知器１、窓開閉検知器２、室内扉開閉検知器３、ガス検知器４、火災検知器５の内の１又は複数の組合せを含む各種監視用検知器群と、無線式の携帯非常通報器６と、これら各種検知器１〜５及び携帯非常通報器６から異常発生信号が入力されたならば、予め登録された通報先に公衆電話回線を通して自動発呼を行い、音声メッセージを送信する非常通報装置７とからなるものである。なお、前記玄関扉開閉検知器１、窓開閉検知器２、室内扉開閉検知器３、ガス検知器４及び火災検知器５と、非常通報装置７との信号伝送は有線とすることもできるが、設置の容易さ、配線による見栄えの悪さ等を解消するため無線式とするのが望ましい。また、無線方式は免許の不要な特定小電力無線方式とするのが望ましい。
【００２３】
前記玄関扉開閉検知器１、窓開閉検知器２、室内扉開閉検知器３に使用されるセンサは、無線送信器とマグネットスイッチが内蔵されたスイッチ本体部１０とマグネット部１１とから構成され、窓枠又は扉枠側に一方側を固定し、障子又は扉側に他方側を固定し、障子や扉が開閉されると、マグネット部１１がスイッチ本体部１０から離れたり、接近することによって、スイッチ本体部１０に内蔵されたマグネットスイッチが開閉し、この開閉信号が、自己に与えられたＩＤ番号信号とともに、無線送信器により非常通報装置７に送信されるようになっているものである。ガス検知器４及び火災検知器５も内部に無線送信器を内蔵しており、ガス、火災が検知されたならば、無線送信器により非常通報装置７に対し、検知信号とともに、自己に与えられたＩＤ番号信号を送信するようになっている。
【００２４】
前記非常通報装置７は、図２に示されるように、内部に無線受信器１２を備え、前記各種検知器１〜５、携帯非常通報器６から発信された異常発生信号及びＩＤ番号信号を受信可能となっているとともに、電話回線を２分配器１３により分岐させて公衆電話回線を通して別の電話や携帯電話等に接続可能としてあり、前記各種検知器１〜５、携帯非常通報器６から異常発生信号が入力されたならば、予め登録された１又は複数の通報先に、電話接続用制御器１６により公衆電話回線を通して自動発呼を行い、音声メッセージを送信するようになっている。また、前記非常通報装置７は、屋内放送用拡声器８および屋外放送用拡声器９を備え、前記音声メッセージを屋内または屋外に放送可能となっている。
【００２５】
本非常通報システムでは、前述のように、前記各種検知器１〜５、携帯非常通報器６に対してそれぞれ、識別のためにＩＤ番号を与えるとともに、非常通報装置７には、図２に示されるように、前記ＩＤ番号毎に、音声メッセージの記憶部１４を備えている。例えば、ガス検知器４（ＩＤ番号：Ｎｏ１）に対応してＮｏ１の記憶部には「警戒中、１階でガス漏れが発生しました。」のメッセージが記憶され、火災検知器５（ＩＤ番号：Ｎｏ３）に対応してＮｏ３の記憶部には「警戒中、１階で火災が発生しました。」のメッセージが記憶され、玄関扉開閉検知器１（ＩＤ番号：Ｎｏ５）に対応してＮｏ５の記憶部には「警戒中、玄関の扉が開かれました。」のメッセージが記憶され、１Ｆリビングの北側窓開閉検知器２１（ＩＤ番号：Ｎｏ６）に対応してＮｏ６の記憶部には「警戒中、１階リビングの北側窓が開かれました。」のメッセージが記憶され、１Ｆのリビングから洗面所に至る扉３１（ＩＤ番号：Ｎｏ１０）に対応してＮｏ１０の記憶部には「警戒中、１階リビングから洗面所に至るドアが開かれました。」のメッセージが記憶される、というように各種検知器１〜５、携帯非常通報器６の各監視機器に対応してそれぞれ音声メッセージが記憶されるようになっている。なお、音声メッセージの登録は、内蔵マイク１５により住居人本人による肉声を登録できるようになっている。
【００２６】
また、前記屋内放送用拡声器８および屋外放送用拡声器９からは、ＩＤ番号に対応した音声メッセージを住居内または屋外に放送可能となっている。この放送メッセージの内、特に屋外放送用については、電話通報メッセージとは別の音声メッセージを用意するようにしてもよい。例えば、不法侵入があった場合のメッセージは、近隣に問いかけるように、「近所の皆さん○○○です。この放送は非常通報です。不法者が住居に侵入しました。外から確認して警察に連絡して下さい。お願いします。」、火災が発生した場合には「近所の皆さん○○○です。私の家で火災が発生しました。至急、避難してください。消防署へ連絡して下さい。」というようなメッセージとしてもよい。
【００２７】
一方、前記各種検知器１〜５とは別に用意される携帯非常通報器６は、基本的に住居内で持ち運び自由とされるもので、使用方法は泥棒が入ったため住居人が他に助けを求める場合や、急病人が出たため近隣に助けを求める場合、火災があった場合に消防署へ連絡する場合や、徘徊者の監視等、各種の用途に供されるものである。例えば、非常事態の種別毎に▲１▼〜▲３▼の押しボタンを備えており、例えば、▲１▼ボタンを押した場合には、この信号が非常通報装置７へＩＤ番号と共に送信され、▲１▼ボタンに対応する音声メッセージ「○×町の○○○です。この電話は緊急連絡です。私の家に泥棒が入っています。警察に電話してください。お願いします。」が流れ、▲２▼ボタンを押した場合には、▲２▼ボタンに対応する音声メッセージ「近所の皆さん、火事です。消防署へ連絡してください。」のメッセージが流れ、▲３▼ボタンを押した場合には、▲３▼ボタンに対応する音声メッセージ「近所の皆さん、隣の○○○です。緊急連絡です。救急車を呼んでください。」のメッセージが流れるように設定される。また、徘徊者監視機能として、電波到達範囲外となったならば、予め登録された通報先、例えば自宅や家族の誰かが持つ携帯を呼び出して、徘徊者が遠くへ外出しようとしている旨の音声メッセージを通報するようにすることも可能である。
【００２８】
ところで、前記音声メッセージによる通報は、事前の設定により、屋内放送拡声器のみによる通報モードと、屋外放送拡声器のみによる通報モードと、公衆電話回線先のみへの通報モードと、これら３つの通報モードを同時に行う通報モードというようにモード設定を行い、その通報モードを任意に選択可能とすることでもよい。
【００２９】
また、前記非常通報装置７に設定される通報先は、予め１又は複数の登録ができるようになっており、通報先の内どれか１件に通報されるまで呼び続けるモードか、通報先のすべてに通報されるまで呼び続けるモードを設定できるようになっているのが望ましい。
【００３０】
〔他の形態例〕
（１）各種検知器として、本形態例では玄関扉開閉検知器１、窓開閉検知器２、室内扉開閉検知器３、ガス検知器４、火災検知器５としたが、他に赤外線人体センサやカメラなどを監視機器として追加してもよい。
【００３１】
【発明の効果】
以上詳説のとおり本発明によれば、不法者の侵入、火災・ガス漏れ発生、急病人発生等の非常時に、この異常発生の内容を的確かつ詳細に、予め登録された通報先に連絡することにより、通報を受けた者がこの非常事態に対して適切な対応処置を取れるようになる。
【図面の簡単な説明】
【図１】本発明に係る非常通報システムの装置構成図である。
【図２】非常通報システムの制御ブロック図である。
【符号の説明】
１…玄関扉開閉検知器、２…窓開閉検知器、３…室内扉開閉検知器、４…ガス検知器、５…火災検知器、６…無線式携帯非常通報器、７…非常通報装置、８…屋内放送用拡声器、９…屋外放送用拡声器
【図１】
2005012510.tif 000003
【図２】
2005012510.tif 000004